(57)【要約】【目的】俯せ状態に横臥しながら長時間に渡ってマッサージを受けるなどした場合でも、呼吸困難に陥らず、肉体疲労も起こさないマットレス及びベッドを提供する。【構成】柔軟性を有するマットレス１０であり、その一端部領域Ｒ１に俯せ状態における横臥者Ｍの顔面を埋没させるための顔面没入穴１３が形成される。又、顔面没入穴１３を形成する一端部領域Ｒ１の表面高さが横臥者Ｍの胴体部分を支持する領域Ｒ２より低く設定される。そして、係るマットレス１０は脚部２により水平状に支持される架台部３上に載置される。【選択図】図１
2006340942.tif 000002
【特許請求の範囲】
【請求項１】
柔軟性を有するマットレスにおいて、俯せ状態における横臥者の顔面を埋没させるための顔面没入穴を有することを特徴とするマットレス。
【請求項２】
顔面没入穴を形成する一端部領域の表面高さが横臥者の胴体部分を支持する領域より低く設定されていることを特徴とする請求項１記載のマットレス。
【請求項３】
脚部により水平状に支持される架台部上に、請求項１又は２記載のマットレスが載置されて成ることを特徴とするベッド。
【発明の詳細な説明】
【技術分野】
【０００１】
本発明は、エステティックサロンなどで用いられるマットレス及びベッドに係わり、特に俯せ状態に横臥して全身マッサージや全身美容術を受ける者の首や肩の疲労を防止することのできるマットレス及びこれを備えたベッドに関する。
【背景技術】
【０００２】
一般に、全身マッサージや全身美容術を受ける場合にはベッド上に横臥するが、係るベッドはマットレスを支持する架台部を含み、その架台部が脚部により高さ調整可能に支持される構成となっている。
【０００３】
そして、全身マッサージなどを受ける者は、床面より高位の架台部上に敷かれたマットレスの上で仰向けあるいは俯せ状態に横臥するが、俯せ状態に横臥したときには鼻や口が塞がれて呼吸を良好に行えなくなることがある。
【０００４】
このため、俯せに横臥する場合には、顔を横向きにするか、マットレスと胸部との間にクッションを介在させて顔の位置を高くするなどの工夫がされているが、長時間に渡って顔を横向きに保つと首（頚部）が疲労し、胸部下にクッションを宛がった場合には胸部が圧迫されて息苦しくなるという問題がある。
【０００５】
そこで、昇降自在な支持台と、この支持台に設けた額支持部および顎支持部とから構成され、額支持部と顎支持部を適宜間隔離してその両者間に目、鼻、口などが下方に露出する露出空間を形成した顔支持台が提案されている（例えば、特許文献１）。
【０００６】
又、角形密閉タンクの上面中央に卵形陥没穴を設け、全表面をレザーで被覆した異形枕とし、上向き睡眠のときは後頭部、下向き睡眠のときは顔面部を窪の中に埋めるようにした健康枕が提案されている（例えば、特許文献２）。
【０００７】
更に、馬蹄形の枕本体と該枕本体の変形を防止するための剛性支持体から構成され、腹臥位で横たわった際の人体頭部顔面を下向きに保持するための腹臥位用枕、並びに該枕と併用するマットレスであって、胸から首にかけての部分に対応する位置に窪みを設けたマットレスが提案されている（例えば、特許文献３）。
【０００８】
【特許文献１】実開昭６４−４６０３０号公報
【０００９】
【特許文献２】実開平３−１３１２５号公報
【特許文献３】特開２００４−８９６９７号公報
【発明の開示】
【発明が解決しようとする課題】
【００１０】
然し乍ら、特許文献１のような顔支持台では構造が複雑でコスト高となり、しかも係る顔支持台はベッドや布団の先端部よりも先に配置されるものであるから、狭い室内ではその配置領域を確保できない場合があり、更に当該顔支持台で顔面を支持したときには腕がベッドによる支持を失って疲労するという欠点がある。
【００１１】
一方、特許文献２、３に記載される枕では、これをマットレスの一端部上に配置して鼻や口が塞がれることなく俯せ状態に横臥することができるものの、その使用者が横臥する面と同一面上に配置される枕では、これによって顔面を支持された俯せ状態の横臥者の頭部が持ち上がった状態となるため、この姿勢を長時間に渡って続けると首や肩の筋肉（僧帽筋、頭板状筋、頭半棘筋など）が緊張により疲労し、マッサージを受けることが逆効果になってしまう。
【００１２】
尚、これを防止するべく、床面に布団を敷き、布団の一端部側で係る枕を床面に配置することも考えられるが、これでは特許文献１の顔支持台と同じく枕を配置する領域を確保できない場合があり、しかもベッド上に横臥する場合には床面との高低差が大きすぎるために、係る枕をベッドの一端部側で床面上に配置しても横臥者の顔面を支持することができない。
【００１３】
又、特許文献３のマットレスでは、俯せ状態における横臥者の頭部を下げて肉体的疲労を軽減できるという効果が得られるものの、胸部が圧迫されるために長時間に渡って俯せ状態を維持することは困難である。
【００１４】
本発明は以上のような事情に鑑みて成されたものであり、その目的は俯せ状態に横臥しながら長時間に渡ってマッサージを受けるなどした場合でも、呼吸困難に陥らず、肉体疲労も起こさないマットレス及びベッドを提供することにある。
【課題を解決するための手段】
【００１５】
本発明は上記目的を達成するため、柔軟性を有するマットレスにおいて、俯せ状態における横臥者の顔面を埋没させるための顔面没入穴を有することを特徴とする。
【００１６】
特に、顔面没入穴を形成する一端部領域の表面高さが横臥者の胴体部分を支持する領域より低く設定されていることを特徴とする。
【００１７】
又、本発明に係るベッドは、脚部により水平状に支持される架台部上に、上記マットレスが載置されて成ることを特徴とする。
【発明の効果】
【００１８】
本発明に係るマットレスによれば、俯せ状態における横臥者の顔面を埋没させるための顔面没入穴を有することから、俯せ状態にして長時間に渡ってマッサージを受ける場合でも呼吸困難に陥らず、しかも頭部が持ち上がった状態にならないので俯せ状態で横臥することによる肉体的疲労を生じ難い。
【００１９】
又、係るマットレスは顔面没入穴に顔面を正対させて当該マットレス上に横臥するだけで上記のような効果が得られ、このためベッドや床面上など使用場所を問わず、これを敷くだけの領域があれば使用可能であり、しかも簡易構造にして低コストで製造販売することができる。
【００２０】
特に、顔面没入穴を形成する一端部領域の表面高さが横臥者の胴体部分を支持する領域より低く設定されていることから、俯せ状態における横臥者の頭部が持ち上げられず、首を水平状態乃至は若干下向きに曲げた状態に保つことができるので、首や肩の筋肉の緊張を抑制して肉体疲労を好適に防止することができる。
【００２１】
加えて、本発明に係るベッドでは、脚部で支持された架台部上に上記マットレスが載置されることから、横臥者に肉体的苦痛を与えず、マッサージ師や全身美容師（エステティシャン）も腰を屈めず楽な姿勢でマッサージや全身美容術を施すことができる。
【発明を実施するための最良の形態】
【００２２】
以下、図面に基づいて本発明を詳しく説明する。図１は本発明に係るベッドを示した側面概略図、図２は同ベッドの正面概略図である。これらの図において、１はステンレス鋼等の耐食性を有する硬質部材から形成されるベッド本体であり、このベッド本体１は脚部２と該脚部により水平状に支持される架台部３とで構成される。
【００２３】
脚部２は四脚構成であり、その各下端にはレベル調整用のシュー４（アジャスターボルト）が設けられ、左右一対の脚部２，２は補強桁５により連結される。
【００２４】
一方、架台部３は方形状の枠あるいは板であり、その底部四隅に脚部２が一体的に接続されている。
【００２５】
ここに、架台部３上には柔軟性を有するマットレス１０が載置される。係るマットレス１０は、図３のように充填材１１を防水性のカバー部材１２で包んだ構成であり、これは横臥者Ｍの全身を支持するに足る長さを有して図示せぬネジなどにより架台部３に対して着脱可能に締結されている。
【００２６】
充填材１１は、木板などから成る硬質の下部層１１Ａと、ウレタンフォームなどの発泡樹脂から成る軟質な上部層１１Ｂとの二層構造であり、このうち硬質の下部層１１Ａがベッド本体の架台部３に結合されるようになっている。又、カバー部材１２は天然皮革あるいは合成皮革から成るものであり、これは充填材１１の全表面を被覆して内部への浸水を防止する働きをする。
【００２７】
尚、下部層１１Ａをベッド本体の架台部３としてこれに脚部２を固定すると共に、ウレタンフォームなどの柔軟部材をカバー部材１２で包んでマットレス１０としてもよい。
【００２８】
次に、図４はマットレスの平面図、図５は同マットレスの側面図を示す。これらの図で明らかなように、係るマットレス１０において、横臥者の頭部を支持する一端部領域Ｒ１の中央には、横臥者の顔面を埋没させるための円形乃至は楕円形の顔面没入穴１３が形成される。
【００２９】
本例において、係る顔面没入穴１３はマットレス１０の厚さ方向に貫通する開口とされるが、これを凹状としてもよい。但し、この場合にも顔面没入穴１３に顔面を埋めた状態で鼻や口の下に呼吸をするに足る空間が形成されるようにすることが肝要である。
【００３０】
又、図５から明らかなように、顔面没入穴１３を形成する一端部領域Ｒ１は傾斜面とされており、その表面高さが横臥者の胴体部分を支持する領域Ｒ２や下半身部分を支持する領域Ｒ３より低く設定される。
【００３１】
尚、本例では、顔面没入穴１３の中心部分において、一端部領域Ｒ１の表面高さが１０〜１５ｃｍ程度の厚さを有する領域Ｒ２，Ｒ３より２〜３ｃｍ程度低くされているが、その数値は必要に応じて変更することができる。又、一端部領域Ｒ１は傾斜面であることに限らず、これを段差を介して領域Ｒ２と連なる平面としてもよい。
【００３２】
次に、図６は顔面没入穴に顔面を埋没させた状態を示す。この図から明らかなように、マットレス１０上に俯せ状態に横臥してマッサージなどを受ける場合、横臥者Ｍは顔面没入穴１３に顔面を埋没させる。そして、このとき横臥者Ｍの額、顎、並びに頬が顔面没入穴１３の周縁に密着して支持されるようになっている。
【００３３】
これによれば、鼻や口が塞がれず、呼吸を楽に行うことができ、しかも頭部が持ち上がらないために首や肩の筋肉が緊張せず、肉体的疲労を生じない。
【００３４】
特に、その一端部領域Ｒ１が低く設定されているために、首が水平乃至は若干下向きに折れ曲がった状態となり、長時間に渡って俯せ状態に横臥しても肉体疲労を防止することができる。
【００３５】
以上、本発明について説明したが、係るマットレスおよびこれを具備して成るベッドはエステやマッサージ用としてのほか、手術台などとして好適に用いることができる。
【図面の簡単な説明】
【００３６】
【図１】本発明に係るマットレスを備えたベッドを示す側面概略図
【図２】同ベッドの正面概略図
【図３】本発明に係るマットレスの横断面図
【図４】同マットレスの平面図
【図５】同マットレスの側面図
【図６】同マットレスの使用態様を示す説明図
【符号の説明】
【００３７】
１  ベッド本体
２  脚部
３  架台部
４  シュー
５  補強桁
１０  マットレス
１１  充填材
１１Ａ  下部層
１１Ｂ  上部層
１２  カバー部材
１３  顔面没入穴
【図１】
2006340942.tif 000003
【図２】
2006340942.tif 000004
【図３】
2006340942.tif 000005
【図４】
2006340942.tif 000006
【図５】
2006340942.tif 000007
【図６】
2006340942.tif 000008